(57)【要約】【課題】コネクタ用カバーを交換する際にはケースを分解することなく脱着でき、コネクタ用カバーを開閉する際には取り外れ難い構造にする。【解決手段】ケース１０２に取り付けられるコネクタ１０３に対して一定の方向ａに開閉を行うコネクタ用カバー１０５の着脱構造に、コネクタの付近のケースに形成される穴部２０８と、コネクタ用カバーの裏面に位置し、コネクタ用カバーを開閉方向と異なる方向Ｂ１、Ｂ２に回転して穴部に差し込み、又は、引き抜き、コネクタ用カバーをケースに着脱し、コネクタ用カバーの開閉時に穴部からの引き抜きを制限する差込部２０７とを備える。【選択図】  図１
2004199892.tif 000002
【特許請求の範囲】
【請求項１】
ケースに取り付けられるコネクタに対して一定の方向に開閉を行うコネクタ用カバーの着脱構造において、
前記コネクタの付近の前記ケースに形成される穴部と、
前記コネクタ用カバーの裏面に位置し、前記コネクタ用カバーを前記開閉方向と異なる方向に回転して前記穴部に差し込み、又は、引き抜き、前記コネクタ用カバーを前記ケースに着脱し、前記コネクタ用カバーの開閉時に前記穴部からの前記引き抜きを制限する差込部とを備えることを特徴とするコネクタ用カバーの着脱構造。
【請求項２】
ケースに取り付けられるコネクタに対して一定の方向に開閉を行うコネクタ用カバーの着脱構造において、
前記コネクタの付近の前記ケースにＴ字形状に形成される穴部と、
前記ケースの下部に前記穴部に隣接して形成される穴部の空間と、
前記コネクタ用カバーを折り曲げて一定方向に開閉するコネクタ用カバーの折り曲げ線部と、
前記折り曲げ線部に沿って長方形に形成され、前記コネクタ用カバーの裏面に一端が結合され、前記穴部に差し込まれるコネクタ用カバーの差込部と、
自由端であり、Ｔ字形状の前記穴部の幅が狭い端部に隣接する前記空間部に差し込まれ収容される前記差込部の他端部と、
前記差込部の一端の両側部から突き出す突起形状に形成され、Ｔ字型の前記穴部の幅が広い部分から差し込まれ、幅が狭い部分に隣接する前記空間部に収容される差込部のストッパーと、
Ｔ字形状の前記穴部の幅が広い端部に形成され、前記差込部が前記穴部に差し込まれた後に前記差込部の長手方向の移動を制限する段部とを備えることを特徴とするコネクタ用カバー着脱構造。
【請求項３】
前記差込部、前記穴部の形状がそれぞれ三角形状であることを特徴とする、請求項２に記載のコネクタ用カバー着脱構造。
【請求項４】
前記差込部を前記穴部に差し込む時に前記穴部と接触する前記他端部の部分に傾斜を持たせることを特徴とする、請求項２に記載のコネクタ用カバー着脱構造。
【請求項５】
前記コネクタ用カバー着脱構造がフロントケース、リアケースがネジ止めされた携帯型電子機器の側部のリアケース側又はフロントケース側に形成されることを特徴とする、請求項１又は請求項２に記載のコネクタ用カバー着脱構造。
【請求項６】
前記フロントケース、前記リアケースがネジ止めされる前に前記コネクタ用カバー着脱構造が前記フロントケース側又は前記リアケース側に形成され、形成後に前記フロントケース、前記リアケースがネジ止めされる特徴とする、請求項５に記載のコネクタ用カバー着脱構造。
【請求項７】
前記コネクタ用カバー着脱構造が携帯型電子機器の正面側又は裏面側に形成されることを特徴とする、請求項１又は請求項２に記載のコネクタ用カバー着脱構造。
【発明の詳細な説明】
【０００１】
【発明が属する技術分野】
本発明は携帯型電子機器のコネクタ用カバー着脱構造に関する。特に、本発明は、コネクタ用カバーの脱着が容易でその開閉時に携帯型電子機器から外れ難い構造に関する。
【０００２】
【従来の技術】
従来の携帯端末装置の筐体側面ではイヤホンキャップが取付孔に装着され、イヤホンキャップの係合部が取付孔の長方形部分から挿入され、円形部分に移動し、回動し、開口部を開閉自在に塞ぎ、係合部が筐体から離脱する方向への動きを規制している（例えば、特許文献１参照。）。
また、従来のコネクタ保護カバーの取付構造では、突起部の首部を完全に切欠部へ通し、コネクタ保護カバーを９０度回転させ、コネクタ保護カバーにより開口部を閉塞し、首部が保護カバー係着部に引掛かり、コネクタ保護カバーが開口部より抜脱することがないようにしているものもある（例えば、特許文献２参照。）。
【０００３】
【特許文献１】
特開２００２−００９９１１号公報（０００７、図５参照）
【特許文献２】
特願平１１−２７３７８０号公報（００２０、００２１、図７、図８、図９）
【０００４】
さらに、以下に説明するように、本発明の前提となる、携帯電話機を含む携帯型電子機器には、イヤホンジャック、Ｉ／Ｏコネクタ、カードスロットなどのコネクタが備えられており、さらに、これらのコネクタを保護するために不使用時に閉じ使用時に開くコネクタ用カバーが備えられている。
図８は本発明の前提となる携帯型電子機器のコネクタ用カバー着脱構造の一例を示す分解斜視図である。なお、全図を通して同一の構成要素には同一の番号、符号を付して説明を行う。
【０００５】
本図に示すように、携帯型電子機器は、少なくとも、フロントケース１０１、リアケース１０２、イヤホンジャックを含むコネクタ１０３、コネクタ１０３を搭載した回路基板１０４、コネクタ１０３のコネクタ用カバー１０５を備え、コネクタ１０３はフロントケース１０１、リアケース１０２を含む携帯型電子機器のケースの側部に取り付けられ、コネクタ用カバー１０５は、コネクタ１０３に対して開閉を行う。
【０００６】
図９は図８におけるコネクタ用カバー１０５をリアケース１０２に嵌め込んでから組み立てるタイプ（嵌め込みタイプ）を示す部分側断面図である。
本図に示すように、嵌め込みタイプのコネクタ用カバー１０５（ａ）には引っかけ部１０６（ａ）が設けられ、引っかけ部１０６（ａ）はリアケース１０２にしっかり引っかかっているので、開閉動作中にリアケース１０２から抜けないという長所がある。
【０００７】
図１０は組み立て後にリアケース１０２に対するコネクタ用カバー１０５の取り付け、リアケース１０２からコネクタ用カバー１０５の取り外しができるタイプ（着脱タイプ）を示す部分側断面図である。
本図に示すように、着脱タイプのコネクタ用カバー１０５（ｂ）には引っかけ部１０６（ｂ）が設けられ、引っかけ部１０６（ｂ）は撓み易い形状にすることによって、携帯型電子機器を分解しないでもリアケース１０２から着脱できるという長所がある。
【０００８】
【発明が解決しようとする課題】
しかしながら、前者の嵌め込みタイプのコネクタ用カバー１０５（ａ）の場合には、携帯型電子機器を最後まで組んでしまうと、フロントケース１０１とリアケース１０２を分解しないとコネクタ用カバー１０５（ａ）を外すことができないため、コネクタ用カバー１０５（ａ）を交換する際の作業効率が悪くなるという問題がある。
【０００９】
また、後者の着脱タイプのコネクタ用カバー１０５（ｂ）の場合には、以下のように、引っかけ部１０６（ｂ）が外れるという問題がある。
図１１は図１０の引っかけ部１０６（ｂ）の外れを説明する部分側断面図である。本図に示すように、折り曲げ線部１０７（ｂ）を支点として、方向ａに沿ってコネクタ用カバー１０５（ｂ）が開閉動作を行う。
【００１０】
この場合、コネクタ用カバー１０５（ｂ）の開閉方向ａ、又は開閉方向ａの法線方向ｂにコネクタ用カバー１０５（ｂ）を引っ張ると、引っかけ部１０６（ｂ）が撓み易い形状になっている。
そのため、普通にコネクタ用カバー１０５（ｂ）を開閉している際に、誤ってリアケース１０２からコネクタ用カバー１０５（ｂ）を外してしまうことがある。
【００１１】
これにより、携帯型電子機器の使い勝ってが悪くなり、さらに、コネクタ用カバー１０５（ｂ）の紛失や破損の発生につながるおそれがある。
したがって、本発明は上記問題点に鑑みて、コネクタ用カバーを交換する際には携帯型電子機器を分解することなく容易に脱着でき、さらに、コネクタ用カバーを開閉する際には取り外れ難い構造に改善するコネクタ用カバー着脱構造を提供することを目的とする。
【００１２】
【課題を解決するための手段】
本発明は前記問題点を解決するために、ケースに取り付けられるコネクタに対して一定の方向に開閉を行うコネクタ用カバーの着脱構造において、前記コネクタの付近の前記ケースに形成される穴部と、前記コネクタ用カバーの裏面に位置し、前記コネクタ用カバーを前記開閉方向と異なる方向に回転して前記穴部に差し込み、又は、引き抜き、前記コネクタ用カバーを前記ケースに着脱し、前記コネクタ用カバーの開閉時に前記穴部からの前記引き抜きを制限する差込部とを備えることを特徴とするコネクタ用カバーの着脱構造を提供する。
【００１３】
この手段により、コネクタ用カバーの開閉時に誤ってコネクタ用カバーを外すことがなくなったので、コネクタ用カバーの操作性が向上する。さらに、ケースを分解することなく、コネクタ用カバーの取り付け、取り外しが可能になるので、コネクタ用カバーの交換が容易になる。
さらに、本発明は、ケースに取り付けられるコネクタに対して一定の方向に開閉を行うコネクタ用カバーの着脱構造において、前記コネクタの付近の前記ケースにＴ字形状に形成される穴部と、前記ケースの下部に前記穴部に隣接して形成される穴部の空間と、前記コネクタ用カバーを折り曲げて一定方向に開閉するコネクタ用カバーの折り曲げ線部と、前記折り曲げ線部に沿って長方形に形成され、前記コネクタ用カバーの裏面に一端が結合され、前記穴部に差し込まれるコネクタ用カバーの差込部と、自由端であり、Ｔ字形状の前記穴部の幅が狭い端部に隣接する前記空間部に差し込まれ収容される前記差込部の他端部と、前記差込部の一端の両側部から突き出す突起形状に形成され、Ｔ字型の前記穴部の幅が広い部分から差し込まれ、幅が狭い部分に隣接する前記空間部に収容される差込部のストッパーと、Ｔ字形状の前記穴部の幅が広い端部に形成され、前記差込部が前記穴部に差し込まれた後に前記差込部の長手方向の移動を制限する段部とを備えることを特徴とするコネクタ用カバー着脱構造を提供する。
【００１４】
この手段により、上記発明と同様に、コネクタ用カバーの開閉時に誤ってコネクタ用カバーを外すことがなくなったので、コネクタ用カバーの操作性が向上する。さらに、ケースを分解することなく、コネクタ用カバーの取り付け、取り外しが可能になるので、コネクタ用カバーの交換が容易になる。
好ましくは、前記差込部、前記穴部の形状がそれぞれ三角形状である。この手段により、製造に有利な形状を選択することが可能になる。
【００１５】
好ましくは、前記差込部を前記穴部に差し込む時に前記穴部と接触する前記他端部の部分に傾斜を持たせる。この手段により、差込部の差込が容易になる。
さらに、前記コネクタ用カバー着脱構造がフロントケース、リアケースがネジ止めされた携帯型電子機器の側部のリアケース側又はフロントケース側に形成される。
この手段により、コネクタ位置を任意に設定することが可能になる。
好ましくは、前記フロントケース、前記リアケースがネジ止めされる前に前記コネクタ用カバー着脱構造が前記フロントケース側又は前記リアケース側に形成され、形成後に前記フロントケース、前記リアケースがネジ止めされる。
【００１６】
この手段により、製造の柔軟性を確保することが可能になる。
さらに、前記コネクタ用カバー着脱構造が携帯型電子機器の正面側又は裏面側に形成される。
この手段により、コネクタ位置を任意に設定することが可能になる。
【００１７】
【発明の実施の形態】
以下、本発明の実施の形態について図面を参照して説明する。
図１は本発明に係る携帯型電子機器のコネクタ用カバーの着脱構造の概略を示す斜視図である。
本図（ａ）に示すように、携帯型電子機器では、フロントケース１０１とリアケース１０２がネジ止めされた状態になっており、携帯型電子機器の側部のリアケース１０２にはコネクタ用カバー１０５を着脱し、固定するのに必要なＴ字形状の穴部２０８が設けられている。
【００１８】
コネクタ用カバー１０５には差込部２０６が設けられ、差込部２０６はストッパー２０７を有し、Ａ方向から穴部２０８に差し込まれる。
本図（ｂ）に示すように、差込部２０６を穴部２０８に差込後にＢ２からＢ１方向に回転することにより、差込部２０６が穴部２０８に固定される。
逆に、差込部２０６をＢ１からＢ２に回転することにより、差込部２０６をＡ方向とは逆の方向に引く抜くことにより、差込部２０６が穴部２０８から取り外される。
【００１９】
図２は図１におけるコネクタ用カバー１０５の概略構造を示す図である。
本図（ａ）はコネクタ用カバー１０５の斜視図であり、本図（ｂ）はコネクタ用カバー１０５の正面図であり、本図（ｃ）はコネクタ用カバー１０５の側面図であり、本図（ｄ）はコネクタ用カバー１０５の裏面図である。
本図に示すように、差込部２０６は、長方形状に形成され、その長手方向が折り曲げ線部１０７の折れ線に沿ってに配置され、コネクタ用カバー１０５の端部の裏面に固定される。
【００２０】
差込部２０６の固定される端部側で側面から突き出す突起状のストッパー２０７が設けられ、差込部２０６の固定される端部と反対側の自由端である端部２０９の正面側には傾斜が形成される。この傾斜により、差込部２０６の穴部２０８への差込が容易になる。
図３はコネクタ用カバー１０５が携帯型電子機器に取り付けられた状態とコネクタ用カバー１０５の開閉動作を示す部分側断面図である。
【００２１】
本図に示すように、コネクタ用カバー１０５が穴部２０８に差し込まれ、Ｂ１方に回転させながら取り付けられた後には、リアケース１０２にコネクタ用カバー１０５がストッパー２０７によって固定されており、前述と同様に、折り曲げ線部１０７を支点として、コネクタ用カバー１０５がａ方向に開閉され、この法線方向ｂに引っ張られる。
【００２２】
これに対して、コネクタ用カバー１０５を携帯型電子機器に着脱するのに必要な動作方向Ｂ１、Ｂ２方向は、方向ａ、方向ｂと一致せず、異なる。
図４は図１における穴部２０８、コネクタ用カバー１０５の関係を説明する図である。
本図（ａ）に示すように、Ｔ字型の穴部２０８がリアケース１０２に形成されるが、リアケース１０２の下部でＴ字形状の穴部２０８の幅の広い部分から狭い部分になった部分に隣接してリアケース１０２の下部にコネクタ用カバー１０５のストッパー２０７を収容する空間２１０が形成され、さらに、リアケース１０２でＴ字形状の穴部２０８の幅の狭い部分の端部に隣接してコネクタ用カバー１０５の端部２０９を収容する空間２１１が形成される。
【００２３】
本図（ｂ）にはコネクタ用カバー１０５の平面が示され、本図（ｃ）には穴部２０８にコネクタ用カバー１０５を固定した状態が示される。
本図（ａ）に示すように、穴部２０８の形状寸法をＬ１、Ｌ２、Ｌ３とし、コネクタ用カバー１０５の形状寸法をＬ４、Ｌ５、Ｌ６とすると、Ｌ１＞Ｌ４、Ｌ２＞Ｌ５、Ｌ３＞Ｌ６が成立するように、穴部２０８、コネクタ用カバー１０５が形成される。
【００２４】
図５は図４（ａ）、（ｂ）、（ｃ）の各部の断面図である。
本図（ａ）は図４（ａ）のＡＡ’線に沿った断面図であり、本図（ｂ）は図４（ａ）のＢＢ’線に沿った断面図であり、本図（ｃ）は図４（ｂ）のＣＣ’線に沿った断面図であり、本図（ｄ）は図４（ｃ）のＤＤ’線に沿った断面図である。
【００２５】
本図に示すように、穴部２０８には段部２１２が設けられ、穴部２０８がコネクタ用カバー１０５に固定した状態では、本図（ａ）に示すように、コネクタ用カバー１０５の差込部２０６が段部２１２を降下し、空間２１１にコネクタ用カバー１０５の差込部２０６の端部２０９が収容され、ストッパー２０７が空間２１０に収容される。この段差２１２により、差込部２０６の長手方向の移動が制限される。
【００２６】
図６は穴部２０８にコネクタ用カバー１０５を差し込む動作を説明する断面図である。
本図（ａ）に示すように、差込部２０６の端部２０９の傾斜部を穴部２０８の空間２１１に差し込み差込部２０６の他方の端部を段部２１２に置き、本図（ｂ）に示すように、差込部２０６を空間２１１にさらに差し込み、本図（ｃ）に示すように、差込部２０６の上記他方の端部を段部２１２から降下して固定が行われる。
【００２７】
このように、差込部２０６が穴部２０８に固定されるには、穴部２０８に対して降下方向、長手方向、降下方向の動作が行われるが、これらの動作は、コネクタ用カバー１０５のＢ２からＢ１への回転動作により実現される。
この逆の動作により、コネクタ用カバー１０５が穴部２０８から引き抜きが行われる。
【００２８】
図７はコネクタ用カバー１０５の開閉時の差込部２０６の動作を説明する断面図である。
本図（ａ）に示すように、穴部２０８にコネクタ用カバー１０５が固定されている状態から、コネクタ用カバー１０５が開状態にすると、コネクタ用カバー１０５には穴部２０８に対して上昇方向のみの動作が働き、長手方向の動作が働かないので、本図（ｂ）に示すように、コネクタ用カバー１０５のストッパー２０７、端部２０９は空間２１０、空間２１１からそれぞれ脱することができない。
【００２９】
したがって、コネクタ用カバー１０５がａ方向にに強く開閉されても、また、ａ方向の法線方向ｂに強く引っ張られても、差込部２０６が穴部２０８から外れることがない。
すなわち、コネクタ用カバー１０５を使用時に開閉する方向ａ、この法線方向ｂとコネクタ用カバー１０５を携帯型電子機器に着脱するのに必要な動作方向Ｂ１方向、Ｂ２方向が一致することがないため、誤ってユーザが外してしまうことがなくなる。
【００３０】
このようにして、フロントケース１０１とリアケース１０２がネジ止めされた状態でも、コネクタ用カバー１０５が携帯型電子機器のリアケース１０２に着脱可能になる。
なお、フロントケース１０１とリアケース１０２をネジ止めする前に、コネクタ用カバー１０５をリアケース１０２に取り付けることも可能である。この場合、フロントケース１０１とリアケース１０２をネジ止めした後は、前記同様に、コネクタ用カバー１０５を着脱することができる。製造の柔軟性を確保することが可能になる。
【００３１】
以上の説明では、穴部２０８をリアケース１０２に設けているが、フロントケース１０１に設けるようにしてもよい。コネクタ位置を任意に設定することが可能になる。
さらに、携帯型電子機器の側面だけでなく、正面、裏面にも本発明の携帯型電子機器のコネクタ用カバー着脱構造を設けることが可能である。コネクタ位置を任意に設定することが可能になる。
【００３２】
また、コネクタ用カバー１０５の差込部２０６を長方形状にし、穴部２０８をＴ字形状にしたが、これに限定されない。すなわち、コネクタ用カバー１０５の差込部２０６の種々の形状に合わせて穴部２０８の形状を決めることが可能である。好ましくは、差込部２０６、穴部２０８を三角形状である。製造に有利な形状を選択することが可能になる。
【００３３】
【発明の効果】
以上説明したように、本発明によれば、コネクタの付近のケースに穴部を形成し、差込部をコネクタ用カバーの裏面に位置し、コネクタ用カバーが開閉方向と異なる方向に回転するに伴って差込部を穴部に差し込み、又は、引き抜き、コネクタ用カバーをケースに着脱し、コネクタ用カバーの開閉時に穴部からの引き抜きを制限するようにしたので、コネクタ用カバーを開閉する方向とは異なる方向にコネクタ用カバーを着脱可能になり、コネクタ用カバーを通常使用しているだけでは外れ難くなり、ユーザが誤ってコネクタ用カバーを誤って外してしまうことがないため、コネクタ用カバーの操作性向上を図ることが可能になった。
【００３４】
さらに、コネクタ用カバーを開閉する方向とは異なる方向にコネクタ用カバーを着脱できるので、コネクタ用カバーを通常使用しているだけでは外れ難くなり、ユーザが誤って外してしまうことにより起こり得るコネクタ用カバーへの傷つき、紛失を防ぐことができるので、コネクタ用カバーの交換頻度を少なくでき、さらに、ケースを分解せずにコネクタ用カバーを着脱できるので、コネクタ用カバーを交換する作業工程を削減することができる。
【図面の簡単な説明】
【図１】本発明に係る携帯型電子機器のコネクタ用カバーの着脱構造の概略を示す斜視図である。
【図２】図１におけるコネクタ用カバー１０５の概略構造を示す図である。
【図３】コネクタ用カバー１０５が携帯型電子機器に取り付けられた状態とコネクタ用カバー１０５の開閉動作を示す部分側断面図である。
【図４】図１における穴部２０８、コネクタ用カバー１０５の関係を説明する図である。
【図５】図４（ａ）、（ｂ）、（ｃ）の各部の断面図である。
【図６】穴部２０８にコネクタ用カバー１０５を差し込む動作を説明する断面図である。
【図７】コネクタ用カバー１０５の開閉時の差込部２０６の動作を説明する断面図である。
【図８】本発明の前提となる携帯型電子機器のコネクタ用カバーの着脱構造の一例を示す分解斜視図である。
【図９】図８におけるコネクタ用カバー１０５をリアケース１０２に嵌め込んでから組み立てるタイプ（嵌め込みタイプ）を示す部分側断面図である。
【図１０】組み立て後にリアケース１０２に対するコネクタ用カバー１０５の取り付け、リアケース１０２からコネクタ用カバー１０５の取り外しができるタイプ（着脱タイプ）を示す部分側断面図である。
【図１１】図１０の引っかけ部１０６（ｂ）の外れを説明する部分側断面図である。
【符号の説明】
１０１…フロントケース
１０２…リアケース
１０３…コネクタ
１０４…回路基板
１０５…コネクタ用カバー
１０７…折り曲げ線部
２０６…差込部
２０７…ストッパー
２０８…穴部
２０９…端部
２１０、２１１…空間部
２１２…段部
【図１】
2004199892.tif 000003
【図２】
2004199892.tif 000004
【図３】
2004199892.tif 000005
【図４】
2004199892.tif 000006
【図５】
2004199892.tif 000007
【図６】
2004199892.tif 000008
【図７】
2004199892.tif 000009
【図８】
2004199892.tif 000010
【図９】
2004199892.tif 000011
【図１０】
2004199892.tif 000012
【図１１】
2004199892.tif 000013